(57)【要約】  本発明は、第１の部分と、第２の部分と、第１の部分と第２の部分の間に配置されており、第１の部分と第２の部分に機械的に結合された振動絶縁器を備える、聴覚装置のレシーバ用のサスペンションに関する。第１の部分は、レシーバを少なくとも部分的に囲むように構成されている。第２の部分は、聴覚装置の音声アウトレットを少なくとも部分的に囲むように構成されている。振動絶縁器は、音響通路と、音響通路を囲む減衰部分を備えている。音響通路は、第１の部分と第２の部分の間の音響通路を提供する。振動絶縁器の減衰部分は、振動絶縁器の縦方向および／または横方向の軸に沿って、非対称である。振動絶縁器は、第１の部分と第２の部分の間で、自由に懸架されている。これにより、サスペンションは、ハウジングから離れていくように振動エネルギーを分散させることができる。【選択図】図１
2013546262.tif 000002
【特許請求の範囲】
【請求項１】
聴覚装置のレシーバ（１２０）用のサスペンション（１１０）であって、
第１の部分（１３０）と、第２の部分（１４０）と、前記第１の部分（１３０）と前記第２の部分（１４０）の間に配置されており、前記第１の部分（１３０）と前記第２の部分（１４０）に機械的に結合された振動絶縁器（１５０）を備えており、
前記第１の部分（１３０）が、前記レシーバ（１２０）を少なくとも部分的に囲むように構成されており、
前記第２の部分（１４０）が、前記聴覚装置（１００）の音声アウトレット（１６０）を少なくとも部分的に囲むように構成されており、
前記振動絶縁器（１５０）が、音響通路（１５１）と、前記音響通路（１５１）を囲んでいる減衰部分（１５２）を備えており、
前記音響通路（１５１）が、前記第１の部分（１３０）と前記第２の部分（１４０）の間の音響通路を提供しており、
前記振動絶縁器（１５０）の前記減衰部分（１５２）が、前記振動絶縁器（１５０）の縦方向および／または横方向の軸に沿って非対称であり、
前記振動絶縁器（１５０）が、前記第１の部分と前記第２の部分の間で、自由に懸架されている、サスペンション。
【請求項２】
前記減衰部分（１５２）の材料の厚さ（１５３）が、前記振動絶縁器（１５０）の縦方向および／または横方向の軸に沿って変化することで、前記減衰部分（１５２）の非対称性が提供されている、請求項１のサスペンション。
【請求項３】
前記減衰部分（１５２）がさらに、柔な部分（１５４）と、前記第１の部分（１３０）と前記第２の部分（１４０）の間の実質的に中間に配置された実質的に剛な部分（１５５）を備えており、前記柔な部分（１５４）が、前記実質的に剛な部分（１５５）に比べて、より柔らかい、請求項１または２のサスペンション。
【請求項４】
前記柔な部分（１５４）が、前記第２の部分（１４０）と、前記実質的に剛な部分（１５５）の間に配置されている、請求項３のサスペンション。
【請求項５】
前記減衰部分が、少なくとも２つの平面において非対称である、請求項１から４の何れか一項のサスペンション。
【請求項６】
前記非対称な平面が、ＸＺ平面およびＹＺ平面であって、対称な平面が、ＸＹ平面である、請求項５のサスペンション。
【請求項７】
前記柔な部分（１５４）が、前記実質的に剛な部分（１５５）よりも小さい横方向の材料の厚さを備えている、請求項３または４のサスペンション。
【請求項８】
前記減衰部分（１５２）の材料の厚さが、前記振動絶縁器（１５０）の縦方向および／または横方向の軸に沿って、非対称に変化している、請求項１から７の何れか一項のサスペンション。
【請求項９】
前記振動絶縁器（１５０）の前記減衰部分（１５２）が、前記音響通路（１５１）の縦方向の軸に沿って非周期的である、請求項１から８の何れか一項のサスペンション。
【請求項１０】
レシーバ（１２０）と、音声アウトレット（１６０）と、サスペンション（１１０）を備える聴覚装置（１００）の製造方法であって、
前記サスペンション（１１０）は、第１の部分（１３０）と、第２の部分（１４０）と、前記第１の部分（１３０）と前記第２の部分（１４０）の間に配置されており、前記第１の部分（１３０）と前記第２の部分（１４０）に機械的に結合された振動絶縁器（１５０）を備えており、
前記振動絶縁器（１５０）は、音響通路（１５１）を囲む減衰部分（１５２）を備えており、
前記方法は、
前記サスペンション（１１０）が前記レシーバ（１２０）と前記音声アウトレット（１６０）の間の音響通路を提供するように、
前記第１の部分（１３０）と前記レシーバ（１２０）を機械的に結合するステップと、
前記第２の部分（１４０）と前記音声アウトレット（１６０）を機械的に結合するステップと、
前記振動減衰器（１５０）の縦方向および／または横方向の軸に沿って非対称な前記振動減衰器（１５０）の前記減衰部分（１５２）を提供するステップと、
前記振動減衰器（１５０）を前記第１の部分（１３０）と前記第２の部分（１４０）の間で自由に懸架するステップを備える方法。
【請求項１１】
前記減衰部分（１５２）の非対称性が、前記振動絶縁器（１５０）の縦方向および／または横方向の軸に沿った前記減衰部分（１５２）の材料の厚さの変化によって提供されている、請求項１０の方法。
【請求項１２】
前記減衰部分（１５２）がさらに、柔な部分（１５４）と、実質的に剛な部分（１５５）を備えており、前記柔な部分（１５４）が、前記実質的に剛な部分（１５５）に比べて、より柔らかい、請求項１０または１１の方法。
【請求項１３】
前記第１の部分（１３０）と、前記第２の部分（１４０）と、前記振動絶縁器（１５０）を、一体成形するステップをさらに備えている、請求項１０から１２の何れか一項の方法。
【請求項１４】
前記第１の部分（１３０）を、前記第２の部分（１４０）に対して、平行ではない角度で配置するステップをさらに備えている、請求項１０から１３の何れか一項の方法。
【請求項１５】
レシーバ（１２０）と、音声アウトレット（１６０）と、請求項１から９の何れか一項のサスペンション（１１０）を備える聴覚装置（１００）であって、
前記レシーバ（１２０）が、前記サスペンション（１１０）の前記第１の部分（１３０）に機械的に結合されており、
前記音声アウトレット（１６０）が、前記サスペンション（１１０）の前記第２の部分（１４０）に機械的に結合されている、聴覚装置。
【発明の詳細な説明】
【技術分野】
【０００１】
本明細書は、聴覚装置のレシーバ用のサスペンションと、そのようなサスペンションを備える補聴器を製造する方法に関する。さらに、本明細書は、そのようなサスペンションを備える聴覚装置に関する。
【背景技術】
【０００２】
聴覚装置は、音響信号を受け取るマイクロホンを備えている。受け取った音響信号は処理され、その処理にはデータの増幅が含まれることがある。処理された信号は聴覚装置のレシーバへ送られる。レシーバは、処理された信号を、別の音響信号、例えば特定の周波数についてより大きな振幅を有するような音響信号へ変換する。レシーバは、その別の音響信号を、聴覚装置の使用者の鼓膜へ向けて放送する。
【発明の概要】
【発明が解決しようとする課題】
【０００３】
その別の音響信号の放送は、レシーバおよび聴覚装置を振動させる可能性がある。その振動は、マイクロホンに送り返されて、不要なフィードバックループを生じさせるので、聴覚装置が使用者に提供する増幅に制限を課してしまう。
【０００４】
従って、レシーバにより生成された振動が、聴覚装置の他の部分へ伝わることを抑制した方が有利であると考えられる。
【課題を解決するための手段】
【０００５】
本発明の目的は、振動低減が改善された、聴覚装置のレシーバ用のサスペンションを提供することである。上記の及び他の目的は、次のような聴覚装置のレシーバ用のサスペンションによって実現される。そのサスペンションは、第１の部分と、第２の部分と、第１の部分と第２の部分の間に配置されており、第１の部分および第２の部分と機械的な結合された振動絶縁器を備えている。第１の部分は、レシーバを少なくとも部分的に囲むように構成されている。第２の部分は、聴覚装置の音声アウトレットを少なくとも部分的に囲むように構成されている。振動絶縁器は、音響通路と、音響通路を囲む減衰部分を備えている。音響通路は、第１の部分と第２の部分の間の音響通路を提供する。振動絶縁器の減衰部分は、振動絶縁器の縦方向および／または横方向の軸に沿って非対称である。振動絶縁器は、第１の部分と第２の部分の間で自由に懸架されている。
【０００６】
これによって、レシーバと音声アウトレットの間で自由に運動することができる部分（振動絶縁器）を備えており、従って振動エネルギーをハウジングから離れる方向、すなわち１またはそれ以上の自由に運動する方向へ分散させることができるサスペンションが実現される。これにより、振動エネルギーはレシーバからハウジングへ向けて低減される。
【０００７】
一実施形態において、振動絶縁器の縦方向および／または横方向の軸に沿って、減衰部分の材料の厚さが変化することで、減衰部分の非対称性が提供される。
【０００８】
これにより、振動絶縁器の非対称性は、減衰部分の厚さを変化させることで構築される。これにより、比較的厚い壁を備える振動絶縁器の部分を、比較的薄い壁を備える部分に比べて、より硬くすることができる。
【０００９】
一実施形態において、減衰部分は、柔な部分と、第１の部分と第２の部分の間の実質的に中間に配置された実質的に剛な部分をさらに備えている。柔な部分は、実質的に剛な部分に比べて、より柔らかい。
【００１０】
これにより、サスペンションは、レシーバからの振動が、ハウジングおよび／または音声アウトレットへ向かって低減するように、サスペンションとレシーバの振動パターンを変化させるように構成されている。
【００１１】
一実施形態において、柔な部分は、第２の部分と実質的に剛な部分の間に配置されている。
【００１２】
これにより、振動は実質的に剛な減衰部分において分散されて、柔な部分がさらなる振動を抑制する。
【００１３】
一実施形態において、第１の部分と、第２の部分と、振動絶縁器は、一体成型されている。
【００１４】
これにより、第１の部分と、第２の部分と、振動絶縁器の間で、実質的に最適な機械的な結合が得られて、それらの部分の間での音響漏れを除去することができる。
【００１５】
一実施形態において、第１の部分と、第２の部分と、振動絶縁器は、弾性材料によって成形されている。
【００１６】
これにより、サスペンションの材料は、振動絶縁器の自由な運動による振動エネルギーの分散に加えて、振動エネルギーの吸収が可能となる。
【００１７】
一実施形態においては、減衰部分は、少なくとも２つの平面において非対称である。
【００１８】
これにより、サスペンションは、非対称な平面において、振動エネルギーを分散することができる。
【００１９】
一実施形態において、減衰部分は、２つの平面において非対称であり、第３の平面において対称である。
【００２０】
これにより、サスペンションは、非対称な平面において、振動エネルギーを分散することができる。
【００２１】
一実施形態において、非対称な平面はＸＺ平面およびＹＺ平面であり、対称な平面はＸＹ平面である。
【００２２】
これにより、サスペンションは、非対称な平面において振動エネルギーを分散することができる。
【００２３】
一実施形態において、柔な部分は、実質的に剛な部分よりも小さい横方向の材料の厚さを備えている。
【００２４】
これにより、実質的に剛な部分の壁の厚さに対して、壁の厚さを低減させることによって、柔な部分の柔らかさが得られる。
【００２５】
一実施形態において、減衰部分の材料の厚さは、振動絶縁器の縦方向および／または横方向の軸に沿って、非対称に変化している。
【００２６】
これにより、サスペンションは、非対称な平面において振動エネルギーを分散することができる。
【００２７】
一実施形態において、柔な部分の材料の厚さは、実質的に剛な部分の材料の厚さに比べて、小さい。
【００２８】
これにより、サスペンションは、非対称な平面において振動エネルギーを分散することができる。
【００２９】
一実施形態において、音響通路は中空でかつ実質的に管状であり、音響通路がサスペンションとレシーバの間の十分な接触を確保するように、第１の部分に近接する個所における音響通路の横方向の寸法は、第２の部分に近接する個所における音響通路の横方向の寸法に比べて小さい。
【００３０】
これにより、音響通路がレシーバのスナウトの周りにしっかりとフィットするように構成され、それによって、レシーバからの音響通路を介した漏洩のリスクが低減される。
【００３１】
本発明はさらに、レシーバと、音声アウトレットと、サスペンションを備える聴覚装置の製造方法に関する。サスペンションは、第１の部分と、第２の部分と、第１の部分と第２の部分の間に配置されており、第１の部分と第２の部分に機械的に結合された振動絶縁器を備えている。振動絶縁器は、音響通路を囲む減衰部分を備えている。その方法は、サスペンションがレシーバと音声アウトレットの間の音響通路を提供するように、第１の部分とレシーバを機械的に結合するステップと、第２の部分と音声アウトレットを機械的に結合するステップと、振動減衰器の縦方向および／または横方向の軸に沿って非対称な振動減衰器の減衰部分を提供するステップと、振動減衰器を第１の部分と第２の部分の間で自由に懸架するステップを備えている。
【００３２】
上記の方法およびその実施形態は、同様の理由により、上記のサスペンションと同様の利点を有している。
【００３３】
本発明はさらに、レシーバと、音声アウトレットと、上記のサスペンションの実施形態に係るサスペンションを備える聴覚装置に関する。レシーバは、サスペンションの第１の部分に機械的に結合されており、音声アウトレットは、サスペンションの第２の部分に機械的に結合されている。
【００３４】
聴覚装置およびその実施形態は、同様の理由により、上記のサスペンションと同様の利点を有している。
【図面の簡単な説明】
【００３５】
【図１】聴覚装置のレシーバ用のサスペンションを備える聴覚装置の一部を示している。
【図２】振動絶縁器の拡大図を示している。
【図３】第１の部分の拡大図を示している。
【図４】第２の部分の拡大図を示している。
【図５】第１の部分に焦点を当てたサスペンションの図を示している。
【発明を実施するための形態】
【００３６】
上記および下記において、聴覚装置は補聴器、人工聴覚器官などから構成されるグループから選択することができる。聴覚装置の例としては、耳掛け型（ＢＴＥ）補聴器および耳あな型（ＩＴＥ）補聴器を含むことができる。
【００３７】
図１は、聴覚装置１００の一部を示している。聴覚装置１００は、聴覚装置１００のレシーバ１２０のためのサスペンション１１０を備えている。聴覚装置はさらに、音声アウトレット１６０を備えている。レシーバ１２０および／またはサスペンション１１０および／または音声アウトレット１６０ は、聴覚装置１００のハウジング１７０の内部に含まれていてもよい。一実施形態において、レシーバ１２０、サスペンションおよび音声アウトレット１６０は、ハウジング１７０内に収容されている。
【００３８】
サスペンションは、第１の部分１３０と、第２の部分１４０と、第１の部分１３０と第２の部分１４０の間に配置された振動絶縁器１５０を備えている。振動絶縁器１５０は、第１の部分１３０および第２の部分１４０と、機械的に結合されていてもよい。
【００３９】
一実施形態において、振動絶縁器１５０と、第１の部分１３０と、第２の部分１４０の間の機械的な結合は、振動絶縁器１５０と、第１の部分１３０と、第２の部分１４０を、一体成形することによって提供されている。
【００４０】
一実施形態において、振動絶縁器１５０と、第１の部分１３０と、第２の部分１４０の間の機械的な結合は、加硫成形、流延成形および射出成形からなるグループから選択されてもよい。
【００４１】
一実施形態において、振動絶縁器１５０と、第１の部分１３０と、第２の部分１４０の間の機械的な結合は、例えばヒートシール等の成形手法によって作られていてもよい。
【００４２】
一実施形態において、第１の部分１３０と、第２の部分１４０と、振動絶縁器１５０は、同一の種類の材料によって成形されていてもよい。一実施形態において、サスペンションの少なくとも一部は、弾性材料によって成形されている。一実施形態において、弾性材料は、エラストマー、例えばネオプレンゴム、クロロプレンゴム、フルオロシリコーンゴム、シリコーンゴムまたはエチレンプロピレンジエンモノマーのゴム状材料、または任意の熱可塑性のゴム状材料によって成形されている。
【００４３】
一実施形態において、サスペンションの弾性材料は、タングステン（ウォルフラム）、硫酸バリウム、および弾性材料よりも高い密度を有する任意の材料からなるグループから選択されたドーパント（ドーピング剤）を用いてドープされていてもよい。
【００４４】
ドーパントの利点は、サスペンションにおける振動の効果を増大させる、すなわちサスペンションにおける振動をより良好に低減させることにある。また、弾性材料へのドーパントの添加により、サスペンションの小型化を提供することができる。
【００４５】
一実施形態において、第１の部分１３０と、第２の部分１４０と、振動絶縁器１５０は、異なる材料によって成形されていてもよい。一実施形態において、振動絶縁器１５０は、第１の弾性を有する第１の材料によって成形されていてもよいし、第１の部分１３０と第２の部分１４０は、第２の弾性を有する第２の材料によって成形されていてもよい。一実施形態において、第２の弾性は第１の弾性よりも小さい。
【００４６】
図２は、振動絶縁器１５０の拡大図を示している。振動絶縁器１５０は、音響通路１５１と、その音響通路１５１を囲む減衰部分１５２を備えている。
【００４７】
音響通路１５１は、第１の部分１３０と第２の部分１４０の間の音響通路を提供する。一実施形態において、音響通路１５１は、中空で実質的に管状であり、例えば第１の部分１３０から第２の部分１４０へ音声が伝播するようになっている。別の実施形態における音響通路は、実質的に管状ではない形状、例えば矩形断面を有する筒形状を有していてもよい。一実施形態において、音響通路１５１は、円筒形状を有していてもよい。
【００４８】
一実施形態において、第１の部分１３０に近接する箇所における音響通路１５１の横方向の寸法は、第２の部分１４０に近接する箇所における音響通路１５１の横方向の寸法よりも小さくなっている。例えば、第１の部分１３０に近接する箇所における円筒形状の音響通路の直径は、第２の部分１４０に近接する箇所における円筒形状の音響通路の直径よりも小さくてもよい。
【００４９】
一実施形態において、第１の部分１３０に近接する箇所における管状のまたは実質的に管状の音響通路１５１の横方向の寸法は、管状または実質的に管状のレシーバ１２０のスナウトの外径よりも小さい。これにより、管状または実質的に管状の音響通路１５１が、レシーバ１２０のスナウトの周りに密着して嵌まることで、サスペンション１１０とレシーバ１２０との間での十分な接触が保証される。
【００５０】
一実施形態において、第２の部分１４０の近傍における管状のまたは実質的に管状の音響通路１５１の横方向の寸法は、音声アウトレット１６０の内径と等しいか、または実質的に等しい（例えば５％以内である）。
【００５１】
振動絶縁器１５０の減衰部分１５２は、振動絶縁器１５０の縦方向および／または横方向の軸に沿って、非対称である。参照符号１５３は、振動絶縁器１５０の壁の厚さを示している。
【００５２】
一実施形態において、減衰部分１５２の壁の厚さ１５３は、振動絶縁器１５０の縦方向および／または横方向の軸に沿って変化しており、これにより減衰部分１５２の非対称性が提供されている。従って、減衰部分１５２の材料の厚さは、振動絶縁器１５０の縦方向および／または横方向の軸に沿って変化している。
【００５３】
一実施形態において、図面におけるいくつかの平面、例えばＸＹ平面、ＸＺ平面およびＹＺ平面を定義するために、デカルト座標系が使用される。
【００５４】
一実施形態において、減衰部分１５２の壁の厚さ１５３は、図１のＸＺ平面とＹＺ平面において、非対称である。
【００５５】
さらなる実施形態において、減衰部分１５２の壁の厚さ１５３は、図１のＸＹ平面において、対称である。
【００５６】
一実施形態において、減衰部分１５２はさらに、柔な部分１５４と、実質的に剛な部分１５５を備えている。実質的に剛な部分は、第１の部分１３０と第２の部分１４０の間の、実質的に中間に配置されている。柔な部分１５４は、第２の部分１４０と実質的に剛な部分１５５の間に配置されている。
【００５７】
一実施形態において、柔な部分１５４は実質的に剛な部分１５５に比べてより柔軟である。すなわち、柔な部分１５４は、実質的に剛な部分１５５に比べて、より高い弾性を有している。これは、柔な部分１５４を、実質的に剛な部分１５５よりも高い弾性の材料で成形することによって、実現され得る。代替的にまたは追加的に、上記のことは、柔な部分１５４を、実質的に剛な部分１５５の壁の厚さ１５３よりも小さい壁の厚さ１５３を備えるように成形する、すなわち柔な部分１５４の材料の厚さを、実質的に剛な部分１５５の材料の厚さよりも小さくすることで、実現され得る。
【００５８】
一実施形態において、実質的に剛な部分１５５の壁の厚さは、柔な部分１５４の最小の壁の厚さに比べて、少なくとも３倍厚い。
【００５９】
柔な部分１５４と実質的に剛な部分１５５によって、レシーバ１２０によって生成された振動が、音声アウトレット１６０から離れる方向に、かつ実質的に１またはそれ以上の方向に向かうように、サスペンションの振動パターンが変化することが保証される。これにより、レシーバ１２０からの振動が減衰され、振動絶縁器を越えてさらに聴覚装置１００の中で伝播することがない。
【００６０】
振動絶縁器１５０は、サスペンション１１０の第１の部分１３０と第２の部分１４０の間で、自由に懸架されている。すなわち、振動絶縁器１５０は、レシーバ１２０に機械的に結合された第１の部分１３０と、音声アウトレット１６０に機械的に結合された第２の部分１４０によって、聴覚装置１００に機械的に結合されている。これにより、振動絶縁器１５０は、図１に示す３つの平面、すなわちＸＹ平面、ＸＺ平面およびＹＺ平面において、自由に運動／振動することができる。
【００６１】
減衰部分１５２の実質的に剛な部分１５５は、一実施形態において、実質的に剛な部分１５５と第１の部分１３０の間での剛な接続を保証するために、直接的に第１の部分１３０に機械的に結合されている。
【００６２】
一実施形態において、振動絶縁器１５０は、非周期的（不規則）である。すなわち、振動絶縁器１５０には、周期的な構造が存在しない。さらなる実施形態において、振動絶縁器は、その縦方向の軸に沿って、すなわち音響通路１５１の縦方向に沿って、非周期的である。
【００６３】
図３は、第１の部分１３０の拡大図を示している。第１の部分１３０は、レシーバ１２０の少なくとも一部を囲むように構成されている。第１の部分１３０は、レシーバ本体２２０の少なくとも一部を囲むように構成された矩形部分２１０を備えていてもよい。
【００６４】
一実施形態においては、矩形部分２１０の内側断面形状は、レシーバ本体２２０の囲まれた部分の外側断面形状に等しいか、または実質的に等しい（例えば、レシーバ本体２２０の囲まれた部分の外側断面形状よりも５％小さい、または２％小さい）。これは、矩形部分２１０とレシーバ本体２２０の間の十分な物理的接触を確保するためである。これにより、第１の部分１３０とレシーバ１２０の間のグリップ力によって、レシーバが第１の部分１３０と物理的に接触することが実現される。
【００６５】
追加のまたは代替的な実施形態においては、レシーバ１２０のスナウト２２２の少なくとも一部を囲む音響通路１５１の内側断面形状は、 スナウト２２２の囲まれた部分の外側断面形状に等しいか、または実質的に等しい（例えば、スナウト２２２の囲まれた部分の外側断面形状よりも５％小さい、または２％小さい）。これは、音響通路１５１とスナウト２２２の囲まれた部分の間の十分な物理的接触を確保するためである。これにより、スナウト２２２と音響通路１５１の間のグリップ力によって、スナウト２２２が音響通路１５１と物理的に接触することが実現される。
【００６６】
図４は、第２の部分１４０の拡大図を示している。第２の部分１４０は、音声アウトレット１６０の少なくとも一部を囲むように構成されている。第２の部分は、管状部分１４１、例えば円筒部分と、矩形部分１４２、例えば正方形部分を備えていてもよい。矩形部分１４２は、矩形部分１４２とハウジング１７０の間の十分な当接を保証している。管状部分１４１と正方形部分１４２は、音声アウトレット１６０の外側断面形状と一致するか、または実質的に一致する（例えば音声アウトレット１６０の外側断面形状よりも５％小さい）内側断面形状を備えている。これは、管状部分１４１および正方形部分１４２と音声アウトレット１６０の間で十分な物理的接触を確保するためである。一実施形態において、音声アウトレット１６０は円筒形状の外側断面形状を備えており、管状部分１４１と矩形部分１４２の内側断面形状は円筒形状であり、それによって音声アウトレット１６０の受け入れが可能となっている。
【００６７】
管状部分１４１と矩形部分１４２は、一体成形されていてもよいし、２つの部品として成形されて、例えば溶着によって互いに機械的に結合されていてもよい。
【００６８】
第１の部分１３０と第２の部分１４０は、サスペンション１１０の聴覚装置１００のハウジング１７０への、レシーバ１２０および音声アウトレット１６０を介した、確実な取り付けを保証している。
【００６９】
図５は、サスペンション１１０の一実施形態を示している。この実施形態においては、振動絶縁器１５０が、レシーバ１２０の特別な形態を受け入れるように構成された、１またはそれ以上の構造１５６，１５７を含んでおり、それによって、振動絶縁器１５０に対するレシーバ１２０の正確な配置を実現している。これにより、サスペンション１１０を備えるレシーバ１２０の、実用的かつ簡単な組み立てが可能となっている。一実施形態においては、構造１５６、１５７は、レシーバ１２０の実質的に同じ形状の突起を受け入れるように構成された、振動絶縁器１５０の凹部として形成されていてもよい。
【００７０】
本発明はさらに、下記の項目に従って、いくつかの態様をさらに備えている。
【００７１】
（項目１）
聴覚装置のレシーバ（１２０）用のサスペンション（１１０）であって、
第１の部分（１３０）と、第２の部分（１４０）と、前記第１の部分（１３０）と前記第２の部分（１４０）の間に配置されており、前記第１の部分（１３０）と前記第２の部分（１４０）に機械的に結合された振動絶縁器（１５０）を備えており、
前記第１の部分（１３０）が、前記レシーバ（１２０）を少なくとも部分的に囲むように構成されており、
前記第２の部分（１４０）が、前記聴覚装置（１００）の音声アウトレット（１６０）を少なくとも部分的に囲むように構成されており、
前記振動絶縁器（１５０）が、音響通路（１５１）と、前記音響通路（１５１）を囲んでいる減衰部分（１５２）を備えており、
前記音響通路（１５１）が、前記第１の部分（１３０）と前記第２の部分（１４０）の間の音響通路を提供しており、
前記振動絶縁器（１５０）の前記減衰部分（１５２）が、前記振動絶縁器（１５０）の縦方向および／または横方向の軸に沿って非対称であり、
前記振動絶縁器（１５０）が、前記第１の部分と前記第２の部分の間で、自由に懸架されている、サスペンション。
【００７２】
（項目２）
前記減衰部分（１５２）の材料の厚さ（１５３）が、前記振動絶縁器（１５０）の縦方向および／または横方向の軸に沿って変化することで、前記減衰部分（１５２）の非対称性が提供されている、項目１のサスペンション。
【００７３】
（項目３）
前記減衰部分（１５２）がさらに、柔な部分（１５４）と、前記第１の部分（１３０）と前記第２の部分（１４０）の間の実質的に中間に配置された実質的に剛な部分（１５５）を備えており、前記柔な部分（１５４）が、前記実質的に剛な部分（１５５）に比べて、より柔らかい、項目１または２のサスペンション。
【００７４】
（項目４）
前記柔な部分（１５４）が、前記第２の部分（１４０）と、前記実質的に剛な部分（１５５）の間に配置されている、項目３のサスペンション。
【００７５】
（項目５）
前記第１の部分（１３０）と、前記第２の部分（１４０）と、前記振動絶縁器（１５０）が、一体成形されている、上記の何れか一項の項目のサスペンション。
【００７６】
（項目６）
前記第１の部分（１３０）と、前記第２の部分（１４０）と、前記振動絶縁器（１５０）が、弾性材料によって成形されている、上記の何れか一項の項目のサスペンション。
【００７７】
（項目７）
前記減衰部分が、少なくとも２つの平面において非対称である、上記の何れか一項の項目のサスペンション。
【００７８】
（項目８）
前記減衰部分が、２つの平面において非対称であり、第３の平面において対称である、上記の何れか一項の項目のサスペンション。
【００７９】
（項目９）
前記非対称な平面が、ＸＺ平面およびＹＺ平面であって、対称な平面が、ＸＹ平面である、項目８のサスペンション。
【００８０】
（項目１０）
前記柔な部分（１５４）が、前記実質的に剛な部分（１５５）よりも小さい横方向の材料の厚さを備えている、項目３または４のサスペンション。
【００８１】
（項目１１）
前記減衰部分（１５２）の材料の厚さが、前記振動絶縁器（１５０）の縦方向および／または横方向の軸に沿って、非対称に変化している、上記の何れか一項の項目のサスペンション。
【００８２】
（項目１２）
前記柔な部分（１５４）の材料の厚さが、前記実質的に剛な部分（１５５）の材料の厚さに比べて、小さい、項目３または４のサスペンション。
【００８３】
（項目１３）
前記音響通路（１５１）が、中空でかつ実質的に管状であり、前記音響通路（１５１）が前記サスペンション（１１０）と前記レシーバ（１２０）の間の十分な接触を確保するように、前記第１の部分（１３０）に近接する個所における前記音響通路の横方向の寸法が、前記第２の部分（１４０）に近接する個所における前記音響通路の横方向の寸法に比べて小さい、上記の何れか一項の項目のサスペンション。
【００８４】
（項目１４）
前記振動絶縁器（１５０）の前記減衰部分（１５２）が、非周期的である、上記の何れか一項の項目のサスペンション。
【００８５】
（項目１５）
前記振動絶縁器（１５０）の前記減衰部分（１５２）が、前記音響通路（１５１）の縦方向の軸に沿って非周期的である、項目１４のサスペンション。
【００８６】
（項目１６）
前記振動絶縁器（１５０）の前記減衰部分（１５２）が、前記音響通路（１５１）の縦方向および／または横方向の軸に沿って非周期的である、上記の何れか一項の項目のサスペンション。
【００８７】
（項目１７）
レシーバ（１２０）と、音声アウトレット（１６０）と、サスペンション（１１０）を備える聴覚装置（１００）の製造方法であって、
前記サスペンション（１１０）は、第１の部分（１３０）と、第２の部分（１４０）と、前記第１の部分（１３０）と前記第２の部分（１４０）の間に配置されており、前記第１の部分（１３０）と前記第２の部分（１４０）に機械的に結合された振動絶縁器（１５０）を備えており、
前記振動絶縁器（１５０）は、音響通路（１５１）を囲む減衰部分（１５２）を備えており、
前記方法は、
前記サスペンション（１１０）が前記レシーバ（１２０）と前記音声アウトレット（１６０）の間の音響通路を提供するように、
前記第１の部分（１３０）と前記レシーバ（１２０）を機械的に結合するステップと、
前記第２の部分（１４０）と前記音声アウトレット（１６０）を機械的に結合するステップと、
前記振動減衰器（１５０）の縦方向および／または横方向の軸に沿って非対称な前記振動減衰器（１５０）の前記減衰部分（１５２）を提供するステップと、
前記振動減衰器（１５０）を前記第１の部分（１３０）と前記第２の部分（１４０）の間で自由に懸架するステップを備える方法。
【００８８】
（項目１８）
前記減衰部分（１５２）の非対称性が、前記振動絶縁器（１５０）の縦方向および／または横方向の軸に沿った前記減衰部分（１５２）の材料の厚さの変化によって提供されている、項目１７の方法。
【００８９】
（項目１９）
前記減衰部分（１５２）がさらに、柔な部分（１５４）と、実質的に剛な部分（１５５）を備えており、前記柔な部分（１５４）が、前記実質的に剛な部分（１５５）に比べて、より柔らかい、項目１７または１８の方法。
【００９０】
（項目２０）
前記第１の部分（１３０）と、前記第２の部分（１４０）と、前記振動絶縁器（１５０）を、一体成形するステップをさらに備えている、項目１７から１９の何れか一項の方法。
【００９１】
（項目２１）
前記第１の部分（１３０）を、前記第２の部分（１４０）に対して、平行ではない角度で配置するステップをさらに備えている、項目１７から２０の何れか一項の方法。
【００９２】
（項目２２）
レシーバ（１２０）と、音声アウトレット（１６０）と、項目１から１６の何れか一項のサスペンション（１１０）を備える聴覚装置（１００）であって、
前記レシーバ（１２０）が、前記サスペンション（１１０）の前記第１の部分（１３０）に機械的に結合されており、
前記音声アウトレット（１６０）が、前記サスペンション（１１０）の前記第２の部分（１４０）に機械的に結合されている、聴覚装置。
【図１】
2013546262.tif 000003
【図２】
2013546262.tif 000004
【図３】
2013546262.tif 000005
【図４】
2013546262.tif 000006
【図５】
2013546262.tif 000007
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
聴覚装置のレシーバ（１２０）用のサスペンション（１１０）であって、
第１の部分（１３０）と、第２の部分（１４０）と、前記第１の部分（１３０）と前記第２の部分（１４０）の間に配置されており、前記第１の部分（１３０）と前記第２の部分（１４０）に機械的に結合された振動絶縁器（１５０）を備えており、
前記第１の部分（１３０）が、前記レシーバ（１２０）を少なくとも部分的に囲むように構成されており、
前記第２の部分（１４０）が、前記聴覚装置（１００）の音声アウトレット（１６０）を少なくとも部分的に囲むように構成されており、
前記振動絶縁器（１５０）が、音響通路（１５１）と、前記音響通路（１５１）を囲んでいる減衰部分（１５２）を備えており、
前記音響通路（１５１）が、前記第１の部分（１３０）と前記第２の部分（１４０）の間の音響通路を提供しており、
前記振動絶縁器（１５０）の前記減衰部分（１５２）が、前記振動絶縁器（１５０）の縦方向の軸に沿って非対称であり、
前記振動絶縁器（１５０）が、前記第１の部分と前記第２の部分の間で、自由に懸架されている、サスペンション。
【請求項２】
前記減衰部分（１５２）の材料の厚さ（１５３）が、前記振動絶縁器（１５０）の縦方向および／または横方向の軸に沿って変化することで、前記減衰部分（１５２）の非対称性が提供されている、請求項１のサスペンション。
【請求項３】
前記減衰部分（１５２）がさらに、柔な部分（１５４）と、前記第１の部分（１３０）と前記第２の部分（１４０）の間の実質的に中間に配置された実質的に剛な部分（１５５）を備えており、前記柔な部分（１５４）が、前記実質的に剛な部分（１５５）に比べて、より柔らかい、請求項１または２のサスペンション。
【請求項４】
前記柔な部分（１５４）が、前記第２の部分（１４０）と、前記実質的に剛な部分（１５５）の間に配置されている、請求項３のサスペンション。
【請求項５】
前記減衰部分が、少なくとも２つの平面において非対称である、請求項１から４の何れか一項のサスペンション。
【請求項６】
前記非対称な平面が、ＸＺ平面およびＹＺ平面であって、対称な平面が、ＸＹ平面である、請求項５のサスペンション。
【請求項７】
前記柔な部分（１５４）が、前記実質的に剛な部分（１５５）よりも小さい横方向の材料の厚さを備えている、請求項３または４のサスペンション。
【請求項８】
前記減衰部分（１５２）の材料の厚さが、前記振動絶縁器（１５０）の縦方向および／または横方向の軸に沿って、非対称に変化している、請求項１から７の何れか一項のサスペンション。
【請求項９】
前記振動絶縁器（１５０）の前記減衰部分（１５２）が、前記音響通路（１５１）の縦方向の軸に沿って非周期的である、請求項１から８の何れか一項のサスペンション。
【請求項１０】
レシーバ（１２０）と、音声アウトレット（１６０）と、サスペンション（１１０）を備える聴覚装置（１００）の製造方法であって、
前記サスペンション（１１０）は、第１の部分（１３０）と、第２の部分（１４０）と、前記第１の部分（１３０）と前記第２の部分（１４０）の間に配置されており、前記第１の部分（１３０）と前記第２の部分（１４０）に機械的に結合された振動絶縁器（１５０）を備えており、
前記振動絶縁器（１５０）は、音響通路（１５１）を囲む減衰部分（１５２）を備えており、
前記方法は、
前記サスペンション（１１０）が前記レシーバ（１２０）と前記音声アウトレット（１６０）の間の音響通路を提供するように、
前記第１の部分（１３０）と前記レシーバ（１２０）を機械的に結合するステップと、
前記第２の部分（１４０）と前記音声アウトレット（１６０）を機械的に結合するステップと、
前記振動減衰器（１５０）の縦方向および／または横方向の軸に沿って非対称な前記振動減衰器（１５０）の前記減衰部分（１５２）を提供するステップと、
前記振動減衰器（１５０）を前記第１の部分（１３０）と前記第２の部分（１４０）の間で自由に懸架するステップを備える方法。
【請求項１１】
前記減衰部分（１５２）の非対称性が、前記振動絶縁器（１５０）の縦方向および／または横方向の軸に沿った前記減衰部分（１５２）の材料の厚さの変化によって提供されている、請求項１０の方法。
【請求項１２】
前記減衰部分（１５２）がさらに、柔な部分（１５４）と、実質的に剛な部分（１５５）を備えており、前記柔な部分（１５４）が、前記実質的に剛な部分（１５５）に比べて、より柔らかい、請求項１０または１１の方法。
【請求項１３】
前記第１の部分（１３０）と、前記第２の部分（１４０）と、前記振動絶縁器（１５０）を、一体成形するステップをさらに備えている、請求項１０から１２の何れか一項の方法。
【請求項１４】
前記第１の部分（１３０）を、前記第２の部分（１４０）に対して、平行ではない角度で配置するステップをさらに備えている、請求項１０から１３の何れか一項の方法。
【請求項１５】
レシーバ（１２０）と、音声アウトレット（１６０）と、請求項１から９の何れか一項のサスペンション（１１０）を備える聴覚装置（１００）であって、
前記レシーバ（１２０）が、前記サスペンション（１１０）の前記第１の部分（１３０）に機械的に結合されており、
前記音声アウトレット（１６０）が、前記サスペンション（１１０）の前記第２の部分（１４０）に機械的に結合されている、聴覚装置。
【国際調査報告】
2013546262.tif 000008
2013546262.tif 000009
2013546262.tif 000010